(57)【要約】【課題】収納ケースを上下及び／又は左右に容易に接続、連結することができる、耐震性に優れ安全性の高い収納ケースを提供する。【解決手段】接続具６は上側係合部６ａが並接する上部筐体係合部７ａ（５ａ）、７ａ′（５ａ′）に係合し、下側係合部６ｂが並接する下部筐体係合部７ｂ（５ａ）、７ｂ′（５ａ′）に係合し、中間の膨出部６ｃが並接する上部筐体２Ａ、２Ａ′の底板２ｄ、２ｄ′と並接する下部筐体２Ｂ、２Ｂ′の天板２ｃ、２ｃ′とを跨ぐように上下及び左右の筐体２Ａ、２Ｂ、２Ａ′、２Ｂ′を接続、連結していることを特徴とする収納ケースである。【選択図】図８
2016216070.tif 000002
【特許請求の範囲】
【請求項１】
前方から収納物を取り出すように構成された方形の筐体を有する収納ケースが上下に積み重ねられ、
筐体は側壁と、後壁と、天板と、底板とからなり、
上部筐体の側壁前面には接続具と係合する上部筐体係合部が設けられ、
下部筐体の側壁前面には接続具と係合する下部筐体係合部が設けられ、
接続具には、上部筐体と接続するための上側係合部及び下部筐体と接続するための下側係合部が設けられ、上側係合部と下側係合部との中間には膨出部が設けられ、
接続具は上側係合部が上部筐体係合部に係合し、下側係合部が下部筐体係合部に係合し、中間の膨出部が上部筐体の底板と下部筐体の天板とを跨ぐように上下の筐体を接続していることを特徴とする収納ケース。
【請求項２】
前方から収納物を取り出すように構成された方形の筐体を有する収納ケースが上下に積み重ねられるとともに左右にも並接され、
筐体は側壁と、後壁と、天板と、底板とからなり、
上部筐体の側壁前面には接続具と係合する上部筐体係合部が設けられ、
下部筐体の側壁前面には接続具と係合する下部筐体係合部が設けられ、
接続具には、上部筐体と接続するための上側係合部及び下部筐体と接続するための下側係合部が設けられ、上側係合部と下側係合部との中間には膨出部が設けられ、
接続具は上側係合部が並接する上部筐体係合部に係合し、下側係合部が並接する下部筐体係合部に係合し、中間の膨出部が並接する上部筐体の底板と並接する下部筐体の天板とを跨ぐように上下及び左右の筐体を接続していることを特徴とする収納ケース。
【請求項３】
前方から収納物を取り出すように構成された方形の筐体を有する収納ケースが上下に積み重ねられるとともに左右にも並接され、
筐体は側壁と、後壁と、天板と、底板とからなり、
上部筐体の側壁前面には接続具と係合する上部筐体係合部が設けられ、
上部筐体の天板前面の隅部には接続具と係合するＬ字状の下部筐体係合部が穿設され、
接続具は逆Ｕ字状の上側係合部と下端から外側に水平状に延設された下側係合部とからなり、上側係合部と下側係合部との中間には膨出部が設けられ、
接続具は逆Ｕ字状の上側係合部が並接する上部筐体係合部に係合し、水平状の下側係合部が並接する下部筐体係合部に係合し、中間の膨出部が並接する上部筐体の底板を跨ぐように上下及び左右の筐体を接続していることを特徴とする収納ケース。
【請求項４】
前方から収納物を取り出すように構成された方形の筐体を有する収納ケースが上下に積み重ねられ、
筐体は側壁と、後壁と、天板と、底板とからなり、
上部筐体の後壁には接続具と係合する段状の上部筐体係合部が突設され、
下部筐体の天板後面には接続具と係合する直線状の下部筐体係合部が穿設され、
接続具は逆Ｕ字状で上部が水平状に曲折された上側係合部と、下端から外側に直線状に延設された下側係合部とからなり、上側係合部と下側係合部との中間には膨出部が設けられ、
接続具は上側係合部が上部筐体係合部と係合し、下側係合部が下部筐体係合部と係合し、中間の膨出部が上部筐体の底板を跨ぐように上下の筐体を接続していることを特徴とする収納ケース。
【請求項５】
前方から収納物を取り出すように構成された方形の筐体を有する収納ケースが上下に積み重ねられ、
筐体は側壁と、後壁と、天板と、底板とからなり、
上部筐体の後壁には接続具と係合する段状の上部筐体係合部が突設され、
下部筐体の後壁には接続具と係合する段状の下部筐体係合部が突設され、
下部筐体の後壁であって下方の側壁には接続具の支持部と係合する支持係合部が設けられ、
接続具は板状体で、上部及び下部に水平状に曲折された上側係合部及び下側係合部が設けられ、下側係合部の下方には垂直状の支持部が横設され、
接続具は上側係合部が上部筐体係合部に係合し、下側係合部が下部筐体係合部に係合するとともに、垂直状の支持部が下部筐体の側壁の支持係合部と係合し、上下の筐体を接続していることを特徴とする収納ケース。
【請求項６】
筐体の側壁後面に連結具導入部とその下方に連接された連結具固定部からなる連結具取り付け孔が穿設され、
連結具は互いに平行な２枚の端板部と両端板部間の中央部とからなり、
連結具は並接する左右の筐体の連結具導入部から導入された後、下方の連結具固定部に移動して中央部が連結具固定部に固定され、両端面部により並接された側壁を挟持することを特徴とする請求項２〜５のいずれか１項に記載の収納ケース。
【発明の詳細な説明】
【技術分野】
【０００１】
本発明は、逐次増加する書類や試料等を収納するための収納ケースに係り、特に、新たに増設する収納ケースを既設の収納ケースの上に積み重ねたり、左右に並接することが容易であり、且つ耐震性に優れた安全性の高い収納ケースに関する。
【背景技術】
【０００２】
一般に、継続的に事業を行う場合、業務のたびに書類等が蓄積するので、その蓄積する書類等の保管が問題とされることが多い。特に病院などでは、カルテや病理検体など、長期保存の必要がある書類や試料が多いため、保管に必要なスペースは増大する一方である。
このような状況に対応するため、新しい資料を保管するために入手した新しい収納ケースを既設の収納ケースに連結できる収納ケースが市販されている。この収納ケースは前後方向に延びるアリツギ（蟻継）状の溝と凸条が上下左右の四面に設けられ、この溝と凸状に沿って新設の収納ケースを既設の収納ケースのいずれかの面でスライドさせることにより、新設の収納ケースを既設の収納ケースに連結することができる。
【０００３】
しかしながら、アリツギ状の溝と凸条を係合させたり、あるいは外したりするのは困難なので、別の方式により連結できる収納ケースも模索されている。
例えば、特許文献１では、開口部及びこれに対向する面に枠体が設けられた収納ボックスを縦方向又は横方向に並べ、隣接する収納ボックスの枠体を跨るように連結具を装着する連結構造が示されている。
また、特許文献２では、矩形ボックスの開口周面に切欠き凹部を設け、その切欠き凹部の底部に孔を二つ穿設して、底部の孔に挿入される脚部を有するブロック体で切欠き凹部を閉塞するように構成された収納ボックスが開示されている。そして、収納ボックスを連結する方法として、切欠き凹部同士が近接するように収納ボックスを配置し、ブロック体を一旦外してから、当該ブロックの脚部を近接する切欠き凹部の孔に跨って挿入する方法が示されている。
さらに、特許文献３では、アリツギ状の溝部が穿設された容器が開示され、この容器を複数隣接させることにより前記凹部を対合させて連結係合部を形成させ、この連結係合部にアリツギ状の凸部を背中合わせに二つ接合した形状の連結部材を挿入することにより、容器を連結する方法が示されている。
【先行技術文献】
【特許文献】
【０００４】
【特許文献１】特開２０００−１６８７８１号公報
【特許文献２】特開２００２−８７４３７号公報
【特許文献３】実用新案登録第３０９２６１４号公報
【発明の概要】
【発明が解決しようとする課題】
【０００５】
しかしながら、特許文献１に記載の連結構造では、縦方向又は横方向のいずれかを連結することは可能であるが、一旦縦方向に連結した収納ボックスの横方向に新たな収納ボックスを連結しようとしても、縦方向に連結するための連結具が邪魔になるので、横方向に連結するための連結具を装着することができない。
【０００６】
特許文献２に記載の収納ボックスを用いれば、縦横の両方向に連結するための連結具が互いに干渉することがないが、特許文献２における収納ボックスの後端を固定するには、連結具を後方から挿入する必要がある。しかしながら、収納ボックスの中に大量の書類や物が入っている既設の収納ボックスが壁際に設置されていることが多く、このような場合は、壁が邪魔になり、後方から連結具を挿入することができず、新設の収納ボックスと連結することができない。
【０００７】
特許文献３に記載の容器システムの場合、十分な連結強度を得るためには、連結部材をアリツギ状の溝部を容器の前後方向の略全域に設けるとともに、この溝部と同じ長さの連結部材が必要になる。小さな容器の場合はこのような連結構造でも問題はないが、書類入れ等の比較的大きな容器の場合は連結部材も大きなものが必要となり、また、連結部材の挿入作業も面倒である。
【０００８】
上記のような実情に鑑み、本出願人は上記課題を解決するために、先に断面コ字状の連結具と、この連結具を一端が突出する態様で取り付けるための取り付け孔と、この取り付け孔に取り付けられて突出する連結具と係合する係合凹部からなる後端連結構造を備えた収納ケースを提案した（特願２０１４−０１８１７８）。この収納ケースによれば、新たに増設する収納ケースと既設の収納ケースを当該収納ケースの前後から左右に容易に連結することができる。
【０００９】
一方、上下方向については、通常、２〜６個の引き出しユニットと、上面に膨出部を有する天板と、前記膨出部と係合する脚部を有し引き出しユニットの下面に結合する底板とからなる筐体を用い、この筐体を積み重ねることにより増設されている。
なお、もっと多くの引き出しユニットを結合させることも可能ではあるが、引き出しユニットを積み重ねすぎて筐体が大きくなりすぎると持ち運び等の作業性が悪化し、さらには一度結合させ積み立てた引き出しユニット、天板、及び底板を分離させるのは事実上不可能な構造となっているため、上記のとおり、引き出しユニットの上限は一般に６個程度とされている。。
そこで、更に多くの資料等を収納するには６段以下の筐体を２個以上積み重ねて使用することになるが、積み重ねられた筐体は天板の膨出部と底板の脚部の係合だけで支持されているため、大きな揺れに対する耐性は不十分で、地震等の際には積み重ねた収納ケースが落下したり崩落し極めて危険である。
【００１０】
本発明はかかる実情に鑑み、上記従来技術の問題点を解消し、上下に積み重ねた収納ケースの筐体を容易に接続でき、更に、左右にも容易に連結することができるとともに、落下や崩落が防止されるので耐震性に優れ極めて安全性の高い収納ケースを提供することを目的とする。
【課題を解決するための手段】
【００１１】
上記目的を達成するために、本発明の第１の特徴は、前方から収納物を取り出すように構成された方形の筐体を有する収納ケースが上下に積み重ねられ、筐体は側壁と、後壁と、天板と、底板とからなり、上部筐体の側壁前面には接続具と係合する上部筐体係合部が設けられ、下部筐体の側壁前面には接続具と係合する下部筐体係合部が設けられ、接続具には、上部筐体と接続するための上側係合部及び下部筐体と接続するための下側係合部が設けられ、上側係合部と下側係合部との中間には膨出部が設けられ、接続具は上側係合部が上部筐体係合部に係合し、下側係合部が下部筐体係合部に係合し、中間の膨出部が上部筐体の底板と下部筐体の天板とを跨ぐように上下の筐体を接続している収納ケースを内容とする。
【００１２】
本発明の第２の特徴は、前方から収納物を取り出すように構成された方形の筐体を有する収納ケースが上下に積み重ねられるとともに左右にも並接され、筐体は側壁と、後壁と、天板と、底板とからなり、上部筐体の側壁前面には接続具と係合する上部筐体係合部が設けられ、下部筐体の側壁前面には接続具と係合する下部筐体係合部が設けられ、接続具には、上部筐体と接続するための上側係合部及び下部筐体と接続するための下側係合部が設けられ、上側係合部と下側係合部との中間には膨出部が設けられ、接続具は上側係合部が並接する上部筐体係合部に係合し、下側係合部が並接する下部筐体係合部に係合し、中間の膨出部が並接する上部筐体の底板と並接する下部筐体の天板とを跨ぐように上下及び左右の筐体を接続している収納ケースを内容とする。
【００１３】
本発明の第３の特徴は、前方から収納物を取り出すように構成された方形の筐体を有する収納ケースが上下に積み重ねられるとともに左右にも並接され、筐体は側壁と、後壁と、天板と、底板とからなり、上部筐体の側壁前面には接続具と係合する上部筐体係合部が設けられ、下部筐体の天板前面の隅部には接続具と係合するＬ字状の下部筐体係合部が穿設され、接続具は逆Ｕ字状の上側係合部と下端から外側に水平状に延設された下側係合部とからなり、上側係合部と下側係合部との中間には膨出部が設けられ、接続具は逆Ｕ字状の上側係合部が並接する上部筐体係合部に係合し、水平状の下側係合部が並接する下部筐体係合部に係合し、中間の膨出部が並接する上部筐体の底板を跨ぐように上下及び左右の筐体を接続している収納ケースを内容とする。
【００１４】
本発明の第４の特徴は、前方から収納物を取り出すように構成された方形の筐体を有する収納ケースが上下に積み重ねられ、  筐体は側壁と、後壁と、天板と、底板とからなり、上部筐体の後壁には接続具と係合する段状の上部筐体係合部が突設され、下部筐体の天板後面には接続具と係合する直線状の下部筐体係合部が穿設され、接続具は逆Ｕ字状で上部が水平状に曲折された上側係合部と、下端から外側に直線状に延設された下側係合部とからなり、上側係合部と下側係合部との中間には膨出部が設けられ、接続具は上側係合部が上部筐体係合部と係合し、下側係合部が下部筐体係合部と係合し、中間の膨出部が上部筐体の底板を跨ぐように上下の筐体を接続している収納ケースを内容とする。
【００１５】
本発明の第５の特徴は、前方から収納物を取り出すように構成された方形の筐体を有する収納ケースが上下に積み重ねられ、筐体は側壁と、後壁と、天板と、底板とからなり、上部筐体の後壁には接続具と係合する段状の上部筐体係合部が突設され、下部筐体の後壁には接続具と係合する段状の下部筐体係合部が突設され、下部筐体の後壁であって下方の側壁には接続具の支持部と係合する支持係合部が設けられ、接続具は板状体で、上部及び下部に水平状に曲折された上側係合部及び下側係合部が設けられ、下側係合部の下方には垂直状の支持部が横設され、接続具は上側係合部が上部筐体係合部に係合し、下側係合部が下部筐体係合部に係合するとともに、垂直状の支持部が下部筐体の側壁の支持係合部と係合し、上下の筐体を接続している収納ケースを内容とする。
【００１６】
本発明の第６の特徴は、筐体の側壁後面に連結具導入部とその下方に連接された連結具固定部からなる連結具取り付け孔が穿設され、連結具は互いに平行な２枚の端板部と両端板部間の中央部とからなり、連結具は並接する左右の筐体の連結具導入部から導入された後、下方の連結具固定部に移動して中央部が連結具固定部に固定され、両端面部により並接された側壁を挟持する上記の収納ケースを内容とする。
【発明の効果】
【００１７】
本発明の上記第１、第２の特徴による収納ケースは、上部筐体係合部と係合する上側係合部と、下部筐体係合部と係合する下側係合部を有し、それらの中間に膨出部を有する接続具を用い、積み重ねた上部筐体と下部筐体とを上部筐体の底板と下部筐体の天板とを膨出部が跨ぐようにして上下筐体を接続することにより上下の収納ケースが接続されて耐震性が向上し、地震等が起きても収納ケースの落下や崩落が防止され安全である。
また、この接続具によれば、第２の特徴で示すように、上下に積み重ねられるとともに左右にも並接された筐体を一挙に接続、連結することが可能であり、極めて効率的に耐震化を図ることができる。
【００１８】
また、上記第３の特徴による収納ケースは、上記第２の特徴と同様、上下に積み重ねられるとともに左右にも並接された筐体を一挙に接続可能であり、極めて効率的に耐震化を図ることができる。
【００１９】
また、上記第４、第５の特徴による収納ケースは、上下の筐体が後側で接続される。これらは、特に、上記第１、第２、第３の特徴における前側での接続、連結と組み合わせることにより、これらが協働して一層堅固に接続、連結され、耐震性及び安全性を一層高めるのに有効である。
また、この接続具は、収納ケースの背後に壁等があるため後側で接続作業ができないような場合においても、前側から接続することができるので好都合である。
【００２０】
また、上記第６の特徴による収納ケースは、左右に並接された筐体が連結される。これは、特に、上記第１〜第５の特徴である上下または上下と左右の接続や連結と組み合わせることにより、これらが協働して一層堅固な接続、連結が達成され、耐震性及び安全性を一層高めるのに有効である。
【図面の簡単な説明】
【００２１】
【図１】図１は収納ケースを積み重ねた状態を示し、（ａ）は上下に２個、（ｂ）は上下左右に４個積み重ね及び並接した状態を示す概略図である。
【図２】図２は図１の収納ケースの筐体を形成する引き出しユニットの左側面図、及びその要部拡大図である。
【図３】図３は図２の引き出しユニットの右側面図、及びその要部拡大図である。
【図４】図４（ａ）は引き出しユニットの断面図であり、（ｂ）は（ａ）の引き出しユニットを縦に連結し、天板と底板を取り付けた状態を示す概略断面説明図である。
【図５】図５は本発明で用いる接続具の一例を示す図であり、（ａ）は正面図、（ｂ）は側面図である。
【図６】図６は図５の接続具で積み重ねた筐体を接続した状態を示す断面図である。
【図７】図７は図５の接続具を用い、上下の筐体を接続した状態を示す要部拡大図である。
【図８】図８は図５の接続具を用い、上下左右の筐体を接続、連結した状態を示す要部拡大図である。
【図９】図９は本発明で用いる接続具の他の例を示す図であり、（ａ）は正面図、（ｂ）は側面図である。
【図１０】図１０（ａ）（ｂ）は図９の接続具を用い、上下左右の筐体を接続、連結する状態を示す説明図である。
【図１１】図１１は図９の接続具を用い、上下左右の筐体を接続、連結した状態を示す正面図である。
【図１２】図１２は図９の接続具を用い、上下左右の筐体を接続、連結した状態を示す断面図である。
【図１３】図１３は本発明で用いる接続具の別の例を示す図であり、（ａ）は正面図、（ｂ）は側面図である。
【図１４】図１４（ａ）（ｂ）は図１３の接続具を下部筐体係合部に係合する状態を示す説明図である。
【図１５】図１５は図１３の接続具を用い、上下筐体を接続した状態を示す背面図である。
【図１６】図１６は図１３の接続具を用い、上下筐体を接続した状態を示す断面図である。
【図１７】図１７は本発明で用いる接続具の更に別の例を示す図であり、（ａ）は正面図、（ｂ）は側面図である。
【図１８】図１８は図１７の接続具を用い、上下筐体を接続した状態を示す説明図である。
【図１９】図１９は図１７の接続具を用い、上下筐体を接続した状態を示す断面図である。
【図２０】図２０は連結具取り付け孔に連結具を取り付ける方法を示す説明図である。
【図２１】図２１は連結具を用いて左右の筐体を連結した状態を示す概略断面図である。
【図２２】図２２（ａ）は本発明で用いる前止具の一例を示す斜視図であり、（ｂ）はその側面図であり、（ｃ）はその正面図である。
【図２３】図２３は図２２の前止具で左右の筐体の前端を連結する方法を示す説明図である。
【図２４】図２４（ａ）は本発明で用いる前止具の別の例を示す斜視図であり、（ｂ）はその側面図であり、（ｃ）はその正面図である。
【図２５】図２５は図２４の前止具を用いて、左右の筐体の前端を連結する方法を示す説明図である。
【図２６】図２６は震度４相当の耐震試験結果を示すグラフである。
【図２７】図２７は震度５相当の耐震試験結果を示すグラフである。
【図２８】図２８は震度６相当の耐震試験結果を示すグラフである。
【図２９】図２９は震度７相当の耐震試験結果を示すグラフである。
【発明を実施するための形態】
【００２２】
本発明の収納ケース１は、図１〜図４に示すように、前方から収納物を取り出すように構成された方形の筐体２を有する収納ケースに関するものである。一般的には筐体２の内部に引き出し体２ｅを配置し、この引き出し体２ｅを筐体２の前方から引き出せるように構成されている。
【００２３】
本発明における筐体２は特に限定されないが、通常の場合、複数の引き出しユニット２Ｕを縦方向に連結するとともに、天板２ｃ及び底板２ｄを連結して構成される。これらを連結する手段については特に限定されないが、図４（ａ）では、引き出しユニット２Ｕの上端に爪部３ａが設けられるとともに、引き出しユニット２Ｕの下端には開口３ｂが穿設され、図４（ｂ）に示すように爪部３ａと開口３ｂを係合させることにより縦方向に連結され、最上段の筐体２には天板２ｃが被着され、最下段の筐体２には底板２ｄが被着されている連結構造３が例示されている。尚、連結構造は、これに限られず、例えば特許文献１、２に示されるような連結構造であってもよい。このような筐体２は、図１（ａ）に示すように、上下方向に積み重ねられ、又は、必要に応じ、図１（ｂ）に示すように、左右にも並接され収納ケース１として使用される。
尚、上下の積み重ね、左右の並接の例として、それぞれ２個の場合を示したが、これに限られず３個以上でもよいことは云うまでもない。
【００２４】
上記筐体２を形成する引き出しユニット２Ｕは、図２、図３に示すように、前端連結構造５として、水平状の開口部５ａ１と直角状の折れ部５ａ２と垂直状の最深部５ａ３とからなるＬ字状の切れ込み５ａが穿設されている。折れ部５ａ２の小突起は、振動等により最深部５ａ３から係合部が脱け出るのを防止する脱出防止突起である。また、後端連結構造４として、連結具取り付け孔４ｂが穿設されるととともに、係合凹部４ｃが設けられている。連結具取り付け孔４は、図２中の拡大図に示すように、連結具導入部４ｂ１とその下方に連結具固定部４ｂ２とが連接され、その上部又は下部には係合凹部４ｃ及び段状の上部部筐体係合部７ａ、段状の下部筐体係合部７ｂが突設されている。
【００２５】
本発明の特徴の第１は、図１（ａ）及び図５〜図７に示すように、前方から収納物を取り出すように構成された方形の筐体２を有する収納ケース１が上下に積み重ねられ、
筐体２は側壁２ａと、後壁２ｂと、天板２ｃと、底板２ｄとからなり、上部筐体２Ａの側壁２ａの前面には接続具６と係合する上部筐体係合部（Ｌ字状の切れ込み）５ａが設けられ、
下部筐体２Ｂの側壁２ａの前面には接続具６と係合する下部筐体係合部（Ｌ字状の切れ込み）５ａが設けられ、
接続具６には、上部筐体２Ａと接続するための上側係合部６ａ及び下部筐体２Ｂと接続するための下側係合部６ｂが設けられ、上側係合部６ａと下側係合部６ｂとの中間には膨出部６ｃが設けられ、
接続具６は上側係合部６ｃが上部筐体係合部７ａ（５ａ）に係合し、下側係合部６ｂが下部筐体係合部７ｂ（５ａ）に係合し、中間の膨出部６ｃが上部筐体２Ａの底板２ｄと下部筐体２Ｂの天板２ｃとを跨ぐように上下筐体２Ａ、２Ｂを接続していることを特徴とする。
本発明において、Ｌ字状切れ込み５ａは、上部筐体２Ａでは上部筐体係合部７ａとして機能し、下部筐体２Ｂでは下部筐体係合部７ｂとして機能する。
【００２６】
ここで使用される接続具６は、図５に例示するように、上側にはループ状の上側係合部６ａ、下側にはループ状の下側係合部６ｂを有し、両係合部６ａ、６ｂの中間には膨出部６ｃが設けられている。
上部筐体係合部７ａ及び下部筐体係合部７ｂは、いずれも水平状の開口部５ａ１と直角状の折れ部５ａ２と垂直状の最深部５ａ３とからなるＬ字状の切れ込み５ａからなり、図６、図７に示すように、接続具６の上側係合部６ａを上部筐体２Ａの上部筐体係合部７ａ（５ａ）の水平状の開口部５ａ１から導入し、また下側係合部６ｂも下部筐体係合部７ｂ（５ａ）の水平状の開口部５ａ１から導入し、次いで、折れ部５ａ２を経て最深部５ａ３に導入することにより、上下筐体２Ａ、２Ｂが接続される。
この際、接続具６は中間の膨出部６ｃが上部筐体２Ａの底板２ｄと下部筐体の天板２ｃとを跨ぐように接続するので、上部筐体２Ａの底板２ｄ及び下部筐体２Ｂの天板２ｃは接続具６の妨げとなることはない。尚、上記接続は、十分な耐震性を得るためには、通常筐体の両側で接続するのが好ましい。
【００２７】
本発明の特徴の第２は、収納ケースが上下に積層されるのみならず、左右にも並接された場合であり、図８に示すように、接続具６は上側係合部６ａが並接する上部筐体係合部７ａ（５ａ）、７ａ′（５ａ′）に係合し、下側係合部６ｂが並接する下部筐体係合部７ｂ（５ａ）、７ｂ′（５ａ′）に係合し、中間の膨出部６ｃが並接する上部筐体２Ａ、２Ａ′の底板２ｄ、２ｄ′と並接する下部筐体２Ｂ、２Ｂ′の天板２ｃ、２ｃ′とを跨ぐように上下及び左右の筐体２Ａ、２Ｂ、２Ａ′、２Ｂ′を接続、連結していることを特徴とする。
この場合は、上下左右の筐体２Ａ、２Ｂ、２Ａ′、２Ｂ′が一挙に接続、連結されるので極めて効率的に耐震化を図ることが可能である。
尚、図示した上下左右の４個の収納ケースの場合は、両側を上記特徴の第１に従って上下筐体を接続することが好ましく、更に上下左右に積み重ね、並接する場合は、上記と同様にして上下左右の筐体を接続、連結すればよい。
【００２８】
本発明の特徴の第３は、図９〜図１２に示すように、上記本発明の特徴の第２と同じく、上下に積層されるとともに左右にも並接された収納ケースにおいて、上記筐体２Ａ、２Ａ′の側壁２ｂ、２ｂ′前面には接続具６と係合する上部筐体係合部７ａ（５ａ）、７ｂ′（５ａ′）が設けられ、
下部筐体２Ｂ、２Ｂ′の天板２ｃ、２ｃ′前面の隅部には接続具６と係合するＬ字状の下部筐体係合部７ｂ、７ｂ′が穿設され、
接続具６は逆Ｕ字状の上側係合部６ａと下端から外側に水平状に延設された下側係合部６ｂとからなり、上側係合部６ａと下側係合部６ｂとの中間には膨出部６ｃが設けられ、
接続具６は逆Ｕ字状の上側係合部６ａが並接する上部筐体係合部７ａ（５ａ）、７ａ′（５ａ′）に係合し、水平状の下側係合部６ｂが並接する下部筐体係合部７ｂ、７ｂ′に係合し、中間の膨出部６ｃが並接する上部筐体２Ａ、２Ａ′の底板２ｄ、２ｄ′を跨ぐように上下及び左右の筐体２Ａ、２Ａ′、２Ｂ、２Ｂ′を接続、連結していることを特徴とする。
【００２９】
ここで使用される接続具６は、図９に例示するように、逆Ｕ字状の上側係合部６ａと下端から外側に水平状に延設された下側係合部６ｂとからなり、両係合部６ａ、６ｂの中間には膨出部６ｃが設けられている。
上部筐体２Ａ、２Ａ′の上部筐体係合部７ａ（５ａ）、７ａ′（５ａ′）は水平状の開口部５ａ１と直角状の折れ部５ａ２と垂直状の最深部５ａ３とからなるＬ字状の切れ込みからなり、下部筐体２Ｂ、２Ｂ′の下部筐体係合部７ｂ、７ｂ′は下部筐体２Ｂ、２Ｂ′の天板２ｃ、２ｃ′の前面隅部に穿設され、一端が開口した直線部７ｂ１、７ｂ１′と直角状に連接した水平部７ｂ２、７ｂ２′とからなるＬ字状の切れ込みからなる。
接続方法は、逆Ｕ字状の上側係合部６ａを並接する上部筐体係合部７ａ（５ａ）、７ａ′（５ａ′）に係合し、次いで接続具６の下側係合部６ｂを収縮させて下部筐体係合部７ｂ、７ｂ′の開口部から直線部７ｂ１、７ｂ１′に導入し、次いで水平部７ｂ２、７ｂ２′に導入して拡張させて下部筐体係合部７ｂ、７ｂ′に係合させ、中間の膨出部６ｃが並接する上部筐体２Ａ、２Ａ′の底板２ｄ、２ｄ′を跨ぐように上下及び左右の筐体２Ａ、２Ｂ、２Ａ′、２Ｂ′を接続、連結する。従って、この場合も、上部筐体２Ａ、２Ａ′の底板２ｄ、２ｄ′は接続具６の妨げとなることはない。また、上下左右の筐体２Ａ、２Ａ′、２Ｂ、２Ｂ′を一挙に接続、連結されるので効率的に耐震化を図ることが可能である。
尚、図示した上下左右の４個の収納ケースの場合は、両側を上記特徴の第１に従って上下筐体を接続することが好ましく、更に上下左右に積み重ね、並接する場合は、上記と同様にして上下左右の筐体を接続、連結すればよい。
【００３０】
上記した本発明の特徴の第１〜第３により、筐体の前面において上下又は左右の収納ケースが接続、連結されるが、更に、筐体の後側も上下、左右又は上下左右を接続、連結することにより一層耐震性を高め安全性を向上させることができる。
本発明の特徴の第４は、筐体の後側を上下に接続するので、図１３〜図１６に示すように、上部筐体２Ａの後壁２ｂには接続具６と係合する段状の上部筐体係合部７ａが突設され、
下部筐体２Ｂの天板２ｃ後面には接続具６と係合する直線状の下部筐体係合部７ｂが穿設され、
接続具６は逆Ｕ字状で上部が水平状に曲折された上側係合部６ａと、下端から外側に直線状に延設された下側係合部６ｂとからなり、上側係合部６ａと下側係合部６ｂとの中間には膨出部６ｃが設けられ、
接続具６は上側係合部６ａが上部筐体２Ａの段状の上部筐体係合部７ａと係合し、下側係合部６ｂが下部筐体２Ｂの直線状の下部筐体係合部７ｂと係合し、中間の膨出部６ｃが上部筐体２Ａの底板２ｄを跨ぐように上下筐体２Ａ、２Ｂを接続していることを特徴とする。
【００３１】
ここで使用される接続具６は、図１３に示すように、逆Ｕ字状で上部が水平状に曲折された上側係合部６ａと、下端から外側に直線状に延設された下部筐体係合部６ｂとからなり、上側係合部６ａと下側係合部６ｂとの中間には膨出部６ｃが設けられ、図１５に示すように、上側係合部６ａが上部筐体２Ａの段状の上部筐体係合部７ａと係合し、下側係合部６ｂが下部筐体２Ｂの直線状の下部筐体係合部７ｂと係合し、中間の膨出部６ｃが上部筐体２Ａの底板２ｄを跨ぐように上下筐体２Ａ、２Ｂを接続する。本例では、直線状の下部筐体係合部７ｂは、直線状のスリットが用いられている。
接続方法は、図１４に示すように、接続具６の下側係合部６ｂ付近を収縮させて下部筐体２Ｂの直線状の下部筐体係合部７ｂに導入した後拡張して係合させて接続具６を立設した後、上部筐体２Ａをスライドさせて上部筐体係合部７ａと係合させ、図１５、図１６に示すように、上下筐体２Ａ、２Ｂを接続する。
尚、上記例では、下部筐体係合部７ｂを下部筐体２Ｂの天板２ｃ後面の隅部に設けているが、例えば中央部でもよい。しかし、耐震性の面からは両隅部に設けて両隅部で接続するのが好ましい。
【００３２】
本発明の特徴の第５は、上記本発明の特徴の第４と同様、筐体の後側を上下に接続するもので、図１７〜図１９に示すように、上部筐体２Ａの後壁２ｂには接続具６と係合する段状の上部筐体係合部７ａが突設され、
下部筐体２Ｂの後壁２ｂには接続具６と係合する段状の下部筐体係合部７ｂが突設され、
下部筐体２Ｂの後壁２ｂであって下方の側壁２ａには接続具６の支持部６ｄと係合する支持係合部７ｃが設けられ、
接続具６は板状体で、上部及び下部に水平状に曲折された上側係合部６ａ及び下側係合部６ｂが設けられ、下側係合部６ｂの下方には垂直状の支持部６ｄが横設され、
接続具６は上側係合部６ａが上部筐体２Ａの段状の上部筐体係合部７ａに係合し、下側係合部６ｂが下部筐体２Ｂの段状の下部筐体係合部７ｂに係合するとともに、垂直状の支持部７ｃが下部筐体２Ｂの側壁２ａの支持係合部７ｃと係合し、上下筐体２Ａ、２Ｂを接続していることを特徴とする。
ここで使用される接続具６は板状体で、図１７に示すように、上部及び下部に水平状に曲折された上側係合部６ａ及び下側係合部６ｂが設けられ、下側係合部６ｂの下方には垂直状の支持部６ｄが横設され、図１８、図１９に示すように、上側係合部６ａが上部筐体２Ａの段状の上部筐体係合部７ａに係合し、下側係合部６ｂが下部筐体２Ｂの段状の下部筐体係合部７ｂに係合するとともに、垂直状の支持部７ｃが下部筐体２Ｂの側壁２ａの支持係合部７ｃと係合固定され、上下筐体２Ａ、２Ｂを接続する。この場合も、耐震性の面からは、片側よりも両側で接続するのが好ましい。
【００３３】
本発明の特徴の第６は、筐体の後面を左右を接続するもので、図２０、図２１に示すように、並接する筐体２Ａ、２Ａ′の側壁２ａ、２ａ′の後面に連結具導入部４ｂ１とその下方に連接された連結具固定部４ｂ２からなる連結具取り付け孔４ｂが穿設され、
連結具４ａは互いに平行な２枚の端板部４ａ１、４ａ１′と両端板部間の中央部４ａ２とからなり、
連結具４ａは並接する左右の筐体２Ａ、２Ａ′のいずれか一方の連結具導入部４ｂ１から導入された後、下方の連結具固定部４ｂ２に移動して中央部４ａ２が連結具固定部４ｂ２に固定され、他方の筐体の係合凹部４ｃを挿入係合し、両端板部４ａ１、４ａ１′により並接された側壁２ａ、２ａ′を挟持することを特徴とする。
ここで使用される連結具４ａは、図２０に示すように、互いに平行な２枚の端板部４ａ１、４ａ１′と両端板部間の中央部４ａ２とからなるコ字状である。
連結方法は、図２１に示すように、一の筐体２Ａの連結具導入部４ｂ１に連結具４ａの一方の端板部４ａ１を導入し、中央部４ａ２を下方にスライドして連結具固定部４ｂ２に固定する。次いで、他の筐体２Ａ′の側壁２ａ′を矢示の方向に動かせ、筐体２Ａの側壁２ａと連結具４ａの他の端板部４ａ１′との隙間に挿入し、両端板部４ａ１、４ａ１′間に筐体２Ａの側壁２ａと筐体２Ａ′の側壁２ａ′とを挟持する。
尚、図２１では、筐体２Ａに位置決め突起４ｄが設けられているが、これにより連結具４ａの位置が決定されるので、連結具４ａの導入が容易であり、また側壁２ａ、２ａ′が安定的に挟持されるので好ましい態様である。
尚、上記では図２の後端連結構造４について説明したが、図３の後端連結構造４についても連結具４ａを他の筐体の連結具導入部４ａ１に導入し上方にスライドさせて連結具固定部４ｂ２に固定する他は同様である。
本発明の特徴の第４〜第６は、前記のとおり、特に、本発明の特徴第１〜第３と組み合わすことにより強力な耐震性を発揮するが、組み合わせずに単独で使用することも可能であることは云うまでもない。
【００３４】
以上説明したように、本発明の特徴第１〜第３及び本発明の特徴の第４〜第６を組み合わせることにより、収納ケースの前面部の上下、左右又は上下左右が接続、連結され、優れた耐震性が確保され、地震の際においても収納ケースの落下が防止され安全である。
ところで、筐体２を形成する引き出しユニット２Ｕの数が多くなると、上記した接続、連結具同士の間隙が大きくなり、耐震性が低下する場合がある。このような場合には、特願２０１４−０１８１７８で提案した図２２〜図２５に示すような前止具を用いて、筐体の前面部を適宜前端連結構造とすることにより補強することが可能である。
【００３５】
図２２（ａ）〜（ｃ）に示す前止具５ｂは、２枚の板状部材５ｂ１とこれらを繋ぐ棒状部材５ｂ２からなる部材が挙げられる。
Ｌ字状の切れ込み５ａ及び前止具５ｂからなる前端連結構造５により、左右に並べられた収納ケース１の筐体２の前端を連結する方法は、並接する筐体２の切れ込み５ａを重ね合わせ、次に、図２３に実線矢印で示すように、切れ込み５ａの開口部５ａ１から前止具５ｂの棒状部材５ｂ２を挿入し、次に、図２３に破線矢印で示すように、折れ部５ａ２から最深部５ａ３に棒状部材５ｂ２を移動させて、前止具５ｂの位置を安定させる。このようにすれば、並接する筐体２の前端が前止具５ｂの２枚の板状部材５ｂ１に挟着され、好適に連結される。また、板状部材５ｂ１は薄いので、筐体２内に引き出し体２ｅを配置する場合でも、板状部材５ｂ１が筐体２と引き出し体２ｅの間に介在できるようにすることが可能であり、この場合には、板状部材５ｂ１は引き出し体２ｅを引き出す際の邪魔にならない。
【００３６】
また、図２４に示す前止具５ｂは、細長い板状部材５ｂ１を２本以上の棒状部材５ｂ２で繋いだものでもよい。２本以上の棒状部材５ｂ２を用いることにより、左右の引き出しユニット２Ｕを連結するだけでなく、図２５に示すように、上下の引き出しユニット２Ｕも連結することができる。
【００３７】
なお、図２５は２本の棒状部材５ｂ２の間隔が、積み重ねられた引き出しユニット２Ｕにおける切れ込み５ａの設置周期Ｌ１と同じ（通常の場合、積み重ねられた収納ケースひとつ当たりの高さとも同じ）である前止具５ｂを用いて、筐体２の前端を接続する方法を示す説明図である。このような前止具５ｂを用いる場合、図２５に実線矢印で示すように、２本の棒状部材５ｂ２を、上下の切れ込み５ａの開口部５ａ１に同時に挿入し、そのまま棒状部材５ｂ２を最深部５ａ３に落とせばよい。
【００３８】
本発明において、収納ケース１の材質は、収納した書類等を保護するのに十分な強度及び剛性を備えている限り特に限定されず、例えば木材、金属、樹脂等を用いることができるが、軽量で加工性がよく、十分な強度を備えている点で、樹脂が好ましい。樹脂としては特に限定されないが、具体的には、ＡＢＳ樹脂、ＡＥＳ樹脂、ポリプロピレン等のポリオレフィン樹脂、ポリ塩化ビニル樹脂、ポリアセタール樹脂、フッ素樹脂、ポリカーボネート樹脂、ポリアミド（ナイロン）樹脂、ポリエステル樹脂等が挙げられる。また、ポリ乳酸樹脂、ポリブチレンサクシネート、ポリアミド１１、ポリヒドロキシ酪酸等の生分解性プラスチックやバイオマスプラスチック等も使用可能である。
また、接続具６、連結具４ａの材質は金属が好ましい。
【００３９】
上述のような接続具で接続、連結した収納ケースについて、耐震試験を行った。
試験体としては、図２、図３に示したような引き出しユニットを６段重ねて天板及び底板を取り付けた市販の収納ケース（商品名：カセッターベスト、製造販売元：村角工業株式会社）に手を加え、天板の前側の隅２カ所に図１０に示したような下部筐体係合部をそれぞれ設け、後側の隅２カ所に図１４に示したような上部筐体係合部をそれぞれ設けたものを使用した。なお、各引き出しには重さ１．１ｋｇのダミー重り（ビニール袋に入れた水）を収納した。
このような試験体を３列５段（計１５個）に積み上げ、隣り合う試験体の前側を図２３に示すような前止具（３６個）で固定し、後側を図２０、図１５に示すような連結具（１２個）で固定した。
上下に重なる試験体については、前側を図９に示すような接続具（８個）で固定し、後側を図１３に示すような接続具（２４個）で固定した。
上記のように組み立てた本発明の実施例の収納ケースを、以下の試験例において「金具固定」と称する。
【００４０】
比較例として、上記と同様に試験体を３列５段に積み上げ、各試験体の間をガムテープ（布粘着テープ、製造販売元：コクヨ、品番：ＴＧ−２５０）で固定した。この比較例の収納ケースを、以下の試験例において「テープ固定」と称する。
もう一つの比較例として、上記の試験体を３列５段に積み上げたものを用意した。この子の比較例の収納ケースを、以下の試験例において「固定なし」と称する。
【００４１】
上記の実施例、比較例の収納ケースについて、三次元振動シミュレータ（鷺宮製作所製）を用いて、ＪＩＳ  Ｃ６０１１−２：２０１１（キャビネット及びラックの耐震試験方法）に準拠した耐震試験方法により、耐震試験を行った。
但し、収納ケースが崩落する危険を防ぐため、各試験体の間を結束バンドで連結し、再上段の試験体をロープで吊るした。
それぞれの収納ケースに震度４相当、震度５相当、震度６相当、震度７相当の振動を加え、収納ケース上部における３方向の振動加速度を測定するとともに、試験後の収納ケースの状態を観察した。結果を図２６〜図２９に示す。
【００４２】
図２６に示すように、それぞれの収納ケースに震度４相当の振動を加えたところ、全ての収納ケースにおいて歪みやずれは発見できなかった。また、振動加速度のグラフの形状が３つとも概ね一致していた。
【００４３】
図２７に示すように、それぞれの収納ケースに震度５相当の振動を加えたところ、金具固定及びテープ固定の収納ケースにおいて歪みやずれは発見できなかったが、固定なしの収納ケースでは上段が大きくずれており、結束バンドが無ければ固定なしの収容ケースは崩落していたと思われる。
また、振動加速度のグラフの形状については金具固定とテープ固定が概ね一致しており、加速度は５００ｃｍ／ｓ2 程度の範囲に収まっていたが、固定なしの収納ケースでは１０００ｃｍ／ｓ2 を超える加速度が検出された瞬間があったので、この時に固定なしの収納ケースがずれたと思われる。
なお、固定なしの収納ケースは震度５相当の振動に耐えられなかったので、以下の試験は行わなかった。
【００４４】
図２８に示すように、金具固定及びテープ固定の収納ケースに震度６相当の振動を加えたところ、両方の収納ケースにおいて歪みやずれは発見できなかった。また、振動加速度のグラフの形状が２つとも概ね一致していた。
【００４５】
図２９に示すように、金具固定及びテープ固定の収納ケースに震度７相当の振動を加えたところ、金具固定の収納ケースにおいて歪みやずれは発見できなかったが、テープ固定の収納ケースではテープが剥がれかけており、結束バンドが無ければ遠からずテープ固定の収容ケースは崩落したと思われる。
また、振動加速度のグラフの形状については金具固定よりテープ固定のほうが大きな加速度を示していた。
上記の結果により、本発明の接続、連結した収納ケースは、今後起こり得る震度７クラスの地震に対しても耐え得る優れた耐震性を備えている。
【産業上の利用可能性】
【００４６】
叙上のとおり、本発明の収納ケースによれば、上下左右方向に当該収納ケースを好適に接続することができ、また、収納ケースの後側の接続、連結は収納ケースの後方からでなく側方から取り付けることができるので、後側に壁等がある場合でも容易に接続、連結することができ、耐震性に優れた安全性の高い収納ケースを提供することができる。
【符号の説明】
【００４７】
１  収納ケース
２  筐体
２Ａ、２Ａ′  上部筐体
２Ｂ、２Ｂ′  下部筐体
２ａ、２ａ′  側壁
２ｂ、２ｂ′  後壁
２ｃ、２ｃ′  天板
２ｄ、２ｄ′  底板
２ｅ  引き出し体
２Ｕ、２Ｕ′  引き出しユニット
３  連結構造
３ａ  爪部
３ｂ  開口
４  後端連結構造
４ａ  連結具
４ａ１、４ａ１′  端板部
４ａ２  中央部
４ｂ  連結具取り付け孔
４ｂ１  連結具導入部
４ｂ２  連結具固定具
４ｃ  係合凹部
４ｄ  位置決め突起
５  前端連結構造
５ａ、５ａ１′  Ｌ字状の切れ込み
５ａ１  開口部
５ａ２  折れ部
５ａ３  最深部
５ｂ  前止具
５ｂ１  板状部材
５ｂ２  棒状部材
６  接続具
６ａ  上側係合部
６ｂ  下側係合部
６ｃ  膨出部
６ｄ  支持部
７ａ、７ａ′  上部筐体係合部
７ｂ、７ｂ′  下部筐体係合部
７ｂ１、７ｂ１′  直線部
７ｂ２、７ｂ２′  水平部
７ｃ  支持係合部
【図１】
2016216070.tif 000003
【図２】
2016216070.tif 000004
【図３】
2016216070.tif 000005
【図４】
2016216070.tif 000006
【図５】
2016216070.tif 000007
【図６】
2016216070.tif 000008
【図７】
2016216070.tif 000009
【図８】
2016216070.tif 000010
【図９】
2016216070.tif 000011
【図１０】
2016216070.tif 000012
【図１１】
2016216070.tif 000013
【図１２】
2016216070.tif 000014
【図１３】
2016216070.tif 000015
【図１４】
2016216070.tif 000016
【図１５】
2016216070.tif 000017
【図１６】
2016216070.tif 000018
【図１７】
2016216070.tif 000019
【図１８】
2016216070.tif 000020
【図１９】
2016216070.tif 000021
【図２０】
2016216070.tif 000022
【図２１】
2016216070.tif 000023
【図２２】
2016216070.tif 000024
【図２３】
2016216070.tif 000025
【図２４】
2016216070.tif 000026
【図２５】
2016216070.tif 000027
【図２６】
2016216070.tif 000028
【図２７】
2016216070.tif 000029
【図２８】
2016216070.tif 000030
【図２９】
2016216070.tif 000031